(57)【要約】【課題】マイコンのソフトウェアサイズの増加を抑えつつ、ユーザに表示する言語を選択する新たな手法を提供する。【解決手段】  表示する言語の種類を選択するための言語パネル５０が言語の種類ごとに複数枚（５０ａ１〜５０ｃ３の９枚）用意されており、これら言語パネル５０の裏面側にはそれぞれ異なる位置に導体５３ａ〜５３ｄが配置されている。一方、機器本体には、言語パネル５０を着脱可能な装着部が設けられ、この装着部には、装着される言語パネル５０の導体位置に対応する位置にそれぞれ端子部が配置されており、任意の言語パネル５０が装着部に装着されると、この言語パネルの裏面側に配置されている導体が対応する端子部に接触することで当該端子部が導通するように構成されている。マイコンは、端子部の導通状態を識別することで、装着部に装着された言語パネル５０の言語の種類を判定して、表示する言語を切り替える。【選択図】図４
2007306072.tif 000002
【特許請求の範囲】
【請求項１】
ＯＳＤ（オンスクリーンディスプレイ）機能を制御して各種言語での表示を行う表示制御手段を備えた電子機器において、
表示する言語の種類を選択するための言語パネルが言語の種類ごとに用意されているとともに、前記言語パネルには、メニュー画面表示モード選択用の導体と字幕表示モード選択用の導体の両方が異なる位置に配置されており、
機器本体には、前記言語パネルを着脱可能な装着部が設けられ、この装着部には、装着される言語パネルの各導体位置に対応する位置にそれぞれ端子部が配置されており、任意の言語パネルが前記装着部に装着されると、この言語パネルに配置されている導体が対応する端子部に接触することで当該端子部が導通するように構成されており、
前記表示制御手段は、前記端子部の導通状態を識別することで前記装着部に装着された言語パネルの言語の種類を判定して、表示する言語を切り替えることにより、前記メニュー画面表示モードと字幕表示モードとを個別に表示制御することを特徴とする表示言語選択機能を有する電子機器。
【請求項２】
ＯＳＤ（オンスクリーンディスプレイ）機能を制御して各種言語での表示を行う表示制御手段を備えた電子機器において、
表示する言語の種類を選択するための言語パネルが言語の種類ごとに用意されており、これら言語パネルにはそれぞれ異なる位置に導体が配置され、
機器本体には、前記言語パネルを着脱可能な装着部が設けられ、この装着部には、装着される言語パネルの導体位置に対応する位置にそれぞれ端子部が配置されており、任意の言語パネルが前記装着部に装着されると、この言語パネルに配置されている導体が対応する端子部に接触することで当該端子部が導通するように構成されており、
前記表示制御手段は、前記端子部の導通状態を識別することで前記装着部に装着された言語パネルの言語の種類を判定して、表示する言語を切り替えることを特徴とする表示言語選択機能を有する電子機器。
【請求項３】
前記言語パネルは、第１の言語モード選択用の導体と第２の言語モード選択用の導体の両方が配置されており、
前記表示制御手段は、前記導体に対応した端子部の導通状態を識別することにより、前記第１の言語モードと第２の言語モードとを個別に表示制御することを特徴とする請求項２に記載の表示言語選択機能を有する電子機器。
【請求項４】
前記装着部に装着された言語パネルの言語の種類を記憶する記憶手段をさらに備え、
前記表示制御手段は、前記導体と端子部との間の導通状態が解除された場合であっても、次に新たな端子部が導通状態となるまでは、前記記憶手段に記憶している言語の種類を、表示する言語の種類として維持することを特徴とする請求項１ないし請求項３のいずれかに記載の表示言語選択機能を有する電子機器。
【発明の詳細な説明】
【技術分野】
【０００１】
本発明は、ＯＳＤ（オンスクリーンディスプレイ）機能を有する電子機器に係り、より詳細には、表示する言語を選択する新たな手法をユーザに提供する表示言語選択機能を有する電子機器に関する。
【背景技術】
【０００２】
近年、テレビジョン受信装置を初め、ビデオテープレコーダ、ＤＶＤレコーダ、ハードディスク（ＨＤ）レコーダ等の電子機器には、文字や映像情報等を画面上に表示するＯＳＤ（オンスクリーンディスプレイ）機能が搭載されている。ユーザは、電子機器の各種機能設定を行う場合、このＯＳＤ機能を利用して電子機器の表示部にメニュー画面を表示し、そのメニュー画面に表示された各項目を選択しながら、各種設定を行うことになる。この場合、メニュー画面に表示される言語は、電子機器の出荷先やユーザ自身の国籍等によっても異なるため、従来は、このようなメニュー画面に表示する言語の設定を、言語設定メニュー画面から行えるようになっていた。しかし、これでは言語設定メニュー画面が最初に分からない言語で表示されていた場合、その画面からどのようにして言語設定してよいのかが分からない、とった問題があった。また、場合によってはそのような言語設定機能すら使えないユーザもいる可能性がある。
【０００３】
そこで、このような言語設定を容易に行えるように工夫された電子機器が提案されている（例えば、特許文献１参照）。
【０００４】
この特許文献１に記載の電子機器（液晶表示装置）は、例えばデフォルトの表示が日本語である場合において、英語が印刷されたラベルが用意されている。そして、このラベルを装置本体に設けられた窪みに貼り付けることにより、このラベルによって窪みに設けられたスイッチが押され、これにより表示装置に表示する言語が日本語から英語に切り替わるようになっている。
【特許文献１】特開２００４−１２７０６０号公報
【発明の開示】
【発明が解決しようとする課題】
【０００５】
上記した特許文献１のものは、１枚のラベルと窪みに設けられた１個のスイッチとのオン、オフ関係により、日本語と英語とを切り替えるのみであり、例えば日本語、英語、フランス語といった３カ国語以上の切り替えには全く対応していない。また、この場合の切り替えは、表示部に表示される全ての言語の切り替えを意味しており、例えば表示モードに応じて表示言語を個別に切り替える、といったことにも対応していない。そのため、ユーザの使い勝手が十分に考慮されていなかった。
【０００６】
また、上記した特許文献１のものでは、ラベルを窪みに貼り付けることによって表示言語が変更できるようになっているが、このラベルが剥がれた場合には、押していたスイッチがオン状態からオフ状態となるため、表示言語がその時点で元の言語（すなわち、英語から日本語）に戻ってしまうといった問題があった。
【０００７】
本発明はかかる実情に鑑みて創案されたもので、その目的は、マイコンのソフトウェアサイズの増加を抑えつつ、ユーザに表示する言語を選択する新たな手法を提供することのできる表示言語選択機能を有する電子機器を提供することにある。
【課題を解決するための手段】
【０００８】
上記課題を解決するため、本発明の表示言語選択機能を有する電子機器は、ＯＳＤ（オンスクリーンディスプレイ）機能を制御して各種言語での表示を行う表示制御手段を備えた電子機器において、表示する言語の種類を選択するための言語パネルが言語の種類ごとに用意されており、これら言語パネルにはそれぞれ異なる位置に導体が配置され、機器本体には、前記言語パネルを着脱可能な装着部が設けられ、この装着部には、装着される言語パネルの導体位置に対応する位置にそれぞれ端子部が配置されており、任意の言語パネルが前記装着部に装着されると、この言語パネルに配置されている導体が対応する端子部に接触することで当該端子部が導通するように構成されており、前記表示制御手段は、前記端子部の導通状態を識別することで前記装着部に装着された言語パネルの言語の種類を判定して、表示する言語を切り替えることを特徴とする。
【０００９】
例えば、言語パネルが英語、フランス語、スペイン語の３種類用意されている場合、英語の言語パネルを装着部に装着すると、これに対応する端子部が導通状態となるため、表示制御手段ではこの導通状態を識別することにより、装着された言語パネルが英語用であると判断し、表示言語を英語に切り替える。また、フランス語用の言語パネルを装着部に装着すると、これに対応する端子部が導通状態となるため、表示制御手段ではこの導通状態を識別することにより、装着された言語パネルがフランス語用であると判断し、表示言語をフランス語に切り替える。さらに、スペイン語用の言語パネルを装着部に装着すると、これに対応する端子部が導通状態となるため、表示制御手段ではこの導通状態を識別することにより、装着された言語パネルがスペイン語用であると判断し、表示言語をスペイン語に切り替える。このように、言語パネルの付け替えのみで表示言語を切り替えることがきるので、従来のように言語設定メニュー画面等を表示する必要がないため、ＯＳＤ表示やキーの受け付け処理といったマイコンによるソフトウェアのサイズを抑えることが可能となる。
【００１０】
また、本発明では、前記言語パネルには、第１の言語モード（例えば、メニュー画面表示モード）選択用の導体と第２の言語モード（例えば、字幕表示モード）選択用の導体の両方が配置されており、前記表示制御手段は、前記導体に対応した端子部の導通状態を識別することにより、前記メニュー画面表示モードと字幕表示モードとを個別に表示制御する構成としてもよい。このような構成とすれば、この言語パネルを装着部に装着することで、例えばメニュー画面の表示言語を英語とし、映画等の字幕の表示言語をフランス語とするといった具合に、表示モードに応じて個別の言語を表示することが可能となる。
【００１１】
また、本発明では、前記装着部に装着された言語パネルの言語の種類を記憶する記憶手段をさらに備えており、前記表示制御手段は、前記導体と端子部との間の導通状態が解除された場合であっても、次に新たな端子部が導通状態となるまでは、前記記憶手段に記憶している言語の種類を、表示する言語の種類として維持する構成としてもよい。このような構成によれば、言語パネルが装着部から不測に外れた場合でも、そのことによってそれまでの表示言語がデフォルトの言語（例えば、日本語）に戻ってしまうといったことがない。従って、言語パネルが外れた後も、言語パネルを装着していたときと同様の言語でその後のメニュー画面等の表示や字幕の表示を行うことができる。
【発明の効果】
【００１２】
本発明は上記のように構成したので、言語パネルの付け替えのみで表示言語を切り替えることができるので、従来のように言語設定メニュー画面等を表示する必要がないため、ＯＳＤ表示やキーの受け付け処理といったマイコンによるソフトウェアのサイズを抑えることができる。また、メニュー画面表示モードと字幕表示モードとを個別に表示制御することができるため、例えばメニュー画面は英語表示、映画等の字幕言語はフランス語表示といった具合に、ユーザの使い勝手に応じたよりきめ細かな言語表示の切り替えが可能となる。
【００１３】
また、本発明によれば、言語パネルが装着部から外れた場合でも、次に新たな言語パネルが装着されるまでは、言語パネルを装着していたときと同様の言語でその後のメニュー画面等の表示や字幕の表示を継続して行うことができるので、ユーザにとっては、言語パネルが不測に外れた場合でも、何の問題もなくメニュー画面の操作や映画の視聴等を継続して行うことができる。
【発明を実施するための最良の形態】
【００１４】
以下、本発明の実施の形態について、図面を参照して説明する。
【００１５】
図１は、本発明の表示言語選択機能を有する電子機器の一実施形態であるテレビジョン受信装置の要部の電気的構成を示す機能ブロック図である。ただし、本実施形態では、テレビジョン受信装置による映像及び音声の信号処理については従来周知の処理であるので、ここではＴＶ信号処理部として簡単な機能ブロックで示している。
【００１６】
すなわち、本実施形態のテレビジョン受信装置は、ＴＶ制御系２０の全体を制御するマイコン２１を備えている。そして、デジタル／アナログ放送のテレビジョン信号を受信するチューナ回路２２の出力は、ＴＶ信号処理部２４に接続されており、ＴＶ信号処理部２４の出力は、ＣＲＴまたは液晶パネル等の表示部２６に接続されている。また、ＴＶ信号処理部２４の出力は、増幅器２７を介して内部スピーカ２８に接続されている。ＴＶ信号処理部２４は、テレビジョン受信装置側の各種設定を行うためのセットアップ画面を含む各種設定画面をメニュー画面として表示するためのＯＳＤ回路２４ａを備えている。
【００１７】
マイコン２１は、ＴＶ信号処理部２４と双方向に接続されており、チューナ回路２２を介して受信したテレビジョン信号を映像信号や音声信号に復号し、映像信号を表示部２６に表示するとともに音声信号を内部スピーカ２８から出力するように、ＴＶ信号処理部２４を制御する。
【００１８】
また、マイコン２１には、後述する言語設定情報などを記憶するメモリ部２５が接続されている。さらに、マイコン２１には、リモコン送信機４１からの各種操作信号を受信する受信部３１の出力が接続されている。マイコン２１は、このリモコン送信機４１から送信されてくる各種操作信号に基づいて、ＴＶ制御系２０の動作制御を行うようになっている。
【００１９】
また、マイコン２１は、ＴＶ信号処理部２４のＯＳＤ回路２４ａを制御して、ＴＶ側の各種設定を行うためのメニュー画面や、映画視聴時にテレビジョン信号に含まれている字幕言語をＯＳＤ表示するようになっている。
【００２０】
さらに、マイコン２１には、後述する装置本体１０に設けられた各端子部２３（２３ａ，２３ｂ，・・）が接続されており、これら端子部２３（２３ａ，２３ｂ，・・・）の導通状態を識別するようになっている。
【００２１】
図２は、各端子部２３ａ，２３ｂ，・・・の構成を示している。各端子部２３ａ，２３ｂ，・・・には、それぞれ一対の端子Ａ，Ｂが近接して配置されており、一方の端子Ａがマイコン２１の各入力ポートＰ１，Ｐ２，・・・にそれぞれ接続され、他方の端子Ｂが電源電圧Ｖｃｃに接続されている。すなわち、各端子部２３ａ，２３ｂ，・・・は、端子Ａ−Ｂ間が短絡されると、マイコン２１の各入力ポートＰ１，Ｐ２，・・・に「Ｈ」レベルの信号が入力されるようになっている。マイコン２１は、この各入力ポートＰ１，Ｐ２，・・・の状態を監視することで、どの端子部が導通状態になったのかを識別する。
【００２２】
図３（ａ）は、本実施形態のテレビジョン受信装置の正面図であり、同図（ｂ）は要部の正面図、同図（ｃ）は要部の断面図である。
【００２３】
本実施形態のテレビジョン受信装置は、例えば液晶パネル等の表示部２６を保持する装置本体１０の前面部分に装着部１１が設けられている。この装着部１１は、図３（ｂ），（ｃ）に示すように、装置本体１０の前面部分を１段凹ませた凹部形状であって、正面視横長形状に形成されている。また、後述する言語パネル５０の装着方向をユーザに明示するために、下側の左右角部には傾斜部１１ａが設けられている。つまり、装着時の上下方向が目視で分かるようになっている。
【００２４】
このような形状の装着部１１には、上部の左右２箇所と下部の左右２箇所の計４箇所に端子部２３ａ，２３ｂ，２３ｃ，２３ｄがそれぞれ配置されている。また、装着部１１の裏側中央部には、磁石１４が取り付けられている。
【００２５】
ここで、本実施形態では、上部の左右２個の端子部２３ａ，２３ｂが、メニュー画面の表示言語を選択するための端子部、下部の左右２個の端子部２３ｃ，２３ｄが、外国映画等の視聴時に表示される字幕の表示言語を選択するための端子部となっている。すなわち、上部の左右２個の端子部２３ａ，２３ｂの組み合わせによってメニュー画面の表示言語を選択し、下部の左右２個の端子部２３ｃ，２３ｄの組み合わせによって字幕の表示言語を選択するようになっている。つまり、２個の端子部の組み合わせによって３種類の言語の選択が可能となっている。本実施形態では、ＯＳＤ表示可能な３種類の言語として、英語、フランス語、スペイン語の３種類を例に挙げて以下説明する。
【００２６】
図４は、上記装着部１１に着脱可能に装着される英語、フランス語、スペイン語に対応した各言語パネル５０（５０ａ，５０ｂ，５０ｃ）を示している。
【００２７】
言語パネル５０は、上記装着部１１に嵌まり合うように、横長形状に形成されており、下側の左右角部は、装着部１１の傾斜部１１ａに合わせて斜めに切り欠かれた状態となっている。このような形状とすることにより、上下の装着方向が目視で簡単に分かるようになっている。
【００２８】
言語パネル５０の裏面側には、装着部１１の各端子部２３ａ，２３ｂ，２３ｃ，２３ｄに対向する位置であって、それぞれ必要な箇所に導体５３（５３ａ，５３ｂ，・・・）が配置されている。また、言語パネル５０の中央部には、前記磁石１４に磁着する磁性体５４が設けられている。すなわち、言語パネル５０を装着部１１に装着したとき、磁性体５４が磁石１４に磁着することで、装着部１１からの言語パネル５０の不測の脱落を防止するようになっている。
【００２９】
ここで、各言語パネル５０について詳細に説明する。
【００３０】
本実施形態では、メニュー画面の言語が英語用の言語パネル５０ａが３種類、メニュー画面の言語がフランス語用の言語パネル５０ｂが３種類、メニュー画面の言語がスペイン語用の言語パネル５０ｃが３種類の計９枚の言語パネルが用意されている。
【００３１】
そして、メニュー画面の言語が英語用の言語パネル５０ａでは、メニュー画面の言語として英語を選択するために、上部の左右２箇所にそれぞれ導体５３ａ，５３ｂが配置されている。そして、字幕言語も英語を選択させるための言語パネル５０ａ１では、下部の左右２箇所にもそれぞれ導体５３ｃ，５３ｄが配置されており、字幕言語としてフランス語を選択させるための言語パネル５０ａ２では、下部の左側にのみ導体５３ｃが配置されており、字幕言語としてスペイン語を選択させるための言語パネル５０ａ３では、下部の右側にのみ導体５３ｄが配置されている。
【００３２】
また、メニュー画面の言語がフランス語用の言語パネル５０ｂでは、メニュー画面の言語としてフランス語を選択するために、上部の左側にのみ導体５３ａが配置されている。そして、字幕言語として英語を選択させるための言語パネル５０ｂ１では、下部の左右２箇所にそれぞれ導体５３ｃ，５３ｄが配置されており、字幕言語としてフランス語を選択させるための言語パネル５０ｂ２では、下部の左側にのみ導体５３ｃが配置されており、字幕言語としてスペイン語を選択させるための言語パネル５０ｂ３では、下部の右側にのみ導体５３ｄが配置されている。
【００３３】
また、メニュー画面の言語がスペイン語用の言語パネル５０ｃでは、メニュー画面の言語としてスペイン語を選択するために、上部の右側にのみ導体５３ｂが配置されている。そして、字幕言語として英語を選択させるための言語パネル５０ｃ１では、下部の左右２箇所にそれぞれ導体５３ｃ，５３ｄが配置されており、字幕言語としてフランス語を選択させるための言語パネル５０ｃ２では、下部の左側にのみ導体５３ｃが配置されており、字幕言語としてスペイン語を選択させるための言語パネル５０ｃ３では、下部の右側にのみ導体５３ｄが配置されている。
【００３４】
なお、各言語パネル５０の表面には、このような導体の配置位置に対応して選択可能な言語が表記されている。ただし、図４では、英語は「英」、フランス語は「フ」、スペイン語は「ス」として簡略的に表記しているが、実際の言語パネル５０の表面には、当然、選択可能な言語種類が、「英語」、「フランス語」、「スペイン語」とフルスペルで表記されている。また、図４では、言語パネル５０の裏面側に配置される導体と表面側に表記される言語種類とがあたかも同一面上に位置しているように図示されているが、これも図示を簡略化したものである。
【００３５】
ユーザは、上記構成の９枚の言語パネル５０を使用して、メニュー画面の言語や字幕言語を自由に選択することができる。以下、言語パネル５０を使用した言語選択処理の一例について、図５に示すフローチャートを参照して説明する。
【００３６】
マイコン２１は、装着部１１の各端子部２３ａ，２３ｂ，２３ｃ，２３ｄの導通状態を常に監視している（ステップＳ１）。この状態において、任意の言語パネル５０が装着されると、その言語パネル５０に配置された導体５３によって対応する端子部２３が導通状態（「Ｈ」レベル）となり（ステップＳ２でＹｅｓ）、対応していない端子部は非導通状態（「Ｌ」レベル）のままとなる。
【００３７】
マイコン２１は、これら端子部２３の導通状態を確認すると、まずメニュー画面の表示言語の判定処理を開始する（ステップＳ３）。すなわち、端子部２３ａと２３ｂの導通状態を確認する（ステップＳ４）。その結果、端子部２３ａ，２３ｂが共に導通している場合には、メニュー画面のＯＳＤ表示を英語に設定するとともに、その言語設定情報をメモリ部２５に記憶する（ステップＳ５）。また、端子部２３ａのみが導通し端子部２３ｂが非導通である場合には、メニュー画面のＯＳＤ表示をフランス語に設定するとともに、その言語設定情報をメモリ部２５に記憶する（ステップＳ６）。また、端子部２３ｂのみが導通し端子部２３ａが非導通である場合には、メニュー画面のＯＳＤ表示をスペイン語に設定するとともに、その言語設定情報をメモリ部２５に記憶する（ステップＳ７）。
【００３８】
次にマイコン２１は、字幕の表示言語の判定処理を開始する（ステップＳ８）。すなわち、端子部２３ｃと２３ｄの導通状態を確認する（ステップＳ９）。その結果、端子部２３ｃ，２３ｄが共に導通している場合には、字幕のＯＳＤ表示を英語に設定するとともに、その言語設定情報をメモリ部２５に記憶して（ステップＳ１０）、ステップＳ１に戻る。また、端子部２３ｃのみが導通し端子部２３ｄが非導通である場合には、字幕のＯＳＤ表示をフランス語に設定するとともに、その言語設定情報をメモリ部２５に記憶して（ステップＳ１１）、ステップＳ１に戻る。また、端子部２３ｄのみが導通し端子部２３ｃが非導通である場合には、字幕のＯＳＤ表示をスペイン語に設定するとともに、その言語設定情報をメモリ部２５に記憶して（ステップＳ１２）、ステップＳ１に戻る。
【００３９】
ここで、具体例を挙げて上記処理を再度説明する。
【００４０】
ユーザが、例えば、メニュー画面の表示言語として英語を選択し、字幕言語としてフランス語を選択したい場合には、言語パネル５０ａ２を装着部１１に装着する。これにより、メニュー画面の言語判定ではステップＳ４からステップＳ５へと処理が進み、マイコン２１は、メニュー画面のＯＳＤ表示を英語に設定するとともに、その言語設定情報をメモリ部２５に記憶する。また、字幕の表示言語の判定では、ステップＳ９からステップＳ１１へと処理が進み、マイコン２１は、字幕のＯＳＤ表示をフランス語に設定するとともに、その言語設定情報をメモリ部２５に記憶する。
【００４１】
また、ユーザが、例えば、メニュー画面の表示言語としてフランス語を選択し、字幕言語としてスペイン語を選択したい場合には、言語パネル５０ｂ３を装着部１１に装着する。これにより、メニュー画面の言語判定ではステップＳ４からステップＳ６へと処理が進み、マイコン２１は、メニュー画面のＯＳＤ表示をフランス語に設定するとともに、その言語設定情報をメモリ部２５に記憶する。また、字幕の表示言語の判定では、ステップＳ９からステップＳ１２へと処理が進み、マイコン２１は、字幕のＯＳＤ表示をスペイン語に設定するとともに、その言語設定情報をメモリ部２５に記憶する。
【００４２】
また、ユーザが、例えば、メニュー画面の表示言語としてスペイン語を選択し、字幕言語として英語を選択したい場合には、言語パネル５０ｃ１を装着部１１に装着する。これにより、メニュー画面の言語判定ではステップＳ４からステップＳ７へと処理が進み、マイコン２１は、メニュー画面のＯＳＤ表示をスペイン語に設定するとともに、その言語設定情報をメモリ部２５に記憶する。また、字幕の表示言語の判定では、ステップＳ９からステップＳ１０へと処理が進み、マイコン２１は、字幕のＯＳＤ表示を英語に設定するとともに、その言語設定情報をメモリ部２５に記憶する。
【００４３】
以上の処理は、言語パネル５０が装着部１１に付け替えられるたびに実施されることになる。
【００４４】
ここで、装着部１１に装着した言語パネル５０が不測に外れた場合の処理について説明する。
【００４５】
本実施形態では、言語パネル５０が装着されると、その言語パネルによる言語設定情報をメモリ部２５に記憶する構成（ステップＳ５〜ステップＳ７、ステップＳ１０〜ステップＳ１２）としている。
【００４６】
通常、言語パネル５０が装着部１１から外れると、各端子部２３ａ〜２３ｄが非導通状態となるため、メニュー画面の表示言語や字幕言語はデフォルト（例えば、日本語）に戻ることが考えられる。しかし、本実施形態では、このような場合でも、任意の端子部２３ａ〜２３ｄが新たに導通状態とならない限り、すなわち、新たな言語パネル５０が装着部１１に装着されない限り、メモリ部２５に記憶している言語設定情報に基づいて、その後のメニュー画面の表示言語や字幕の言語を維持する構成としている。
【００４７】
これにより、言語パネル５０が装着部１１から不測に外れた場合でも、そのことによってそれまでの表示言語がデフォルトの言語に戻ってしまうといったことがない。従って、言語パネル５０が外れた後も、外れる前の言語パネルを装着していたときと同様の言語でその後のメニュー画面等の表示や字幕の表示を行うことができる。
【００４８】
なお、上記実施形態では、１個の言語パネル５０でメニュー画面の言語と字幕の言語の両方を個別に選択する構成としているが、メニュー画面の言語のみを選択する場合には、下部の導体５３ｃ，５３ｄは配置せず、上部の導体５２ａ，５３ｂのみを配置すればよい。すなわち、上部の左右２箇所にそれぞれ導体５３ａ，５３ｂを配置した英語用の言語パネル、上部の左側にのみ導体５３ａを配置したフランス語用の言語パネル、及び上部の右側にのみ導体５３ｂを配置したスペイン語用の言語パネルの３種類のみ用意すればよい。
【産業上の利用可能性】
【００４９】
本発明の表示言語選択機能を有する電子機器は、上記実施形態で説明したテレビジョン受信装置を初め、ビデオテープレコーダ、ＤＶＤレコーダ、ハードディスク（ＨＤ）レコーダ等の、複数の言語によるＯＳＤ表示が可能な電子機器全般に利用可能である。
【図面の簡単な説明】
【００５０】
【図１】本発明の表示言語選択機能を有する電子機器の一実施形態であるテレビジョン受信装置の要部の電気的構成を示す機能ブロック図である。
【図２】各端子部の構成を示すブロック図である。
【図３】（ａ）は、本実施形態のテレビジョン受信装置の正面図、（ｂ）は要部の正面図、（ｃ）は要部の断面図である。
【図４】各言語パネルの構成例を示す説明図である。
【図５】言語パネルを使用した言語選択処理を示すフローチャートである。
【符号の説明】
【００５１】
１０  装置本体
１１  装着部
１４  磁石
２０  ＴＶ制御系
２１  マイコン
２２  チューナ回路
２３（２３ａ，２３ｂ，２３ｃ，２３ｄ）  端子部
２４  ＴＶ信号処理部
２４ａ  ＯＳＤ回路
２５  メモリ部
２６  表示部
２７  増幅器
２８  スピーカ
３０  受信部
４１  リモコン送信機
５０（５０ａ，５０ｂ，５０ｃ）  言語パネル
５４  磁性体
【図１】
2007306072.tif 000003
【図２】
2007306072.tif 000004
【図３】
2007306072.tif 000005
【図４】
2007306072.tif 000006
【図５】
2007306072.tif 000007